【手続補正書】
【提出日】平成16年11月10日(2004.11.10)
【手続補正１】
【補正対象書類名】明細書
【補正対象項目名】特許請求の範囲
【補正方法】変更
【補正の内容】
【特許請求の範囲】
【請求項１】
クライアントからの要求に応じてコンテンツ送信処理を実行するコンテンツ提供サーバとしての情報処理装置であり、
コンテンツおよびコンテンツ属性情報としてのメタデータを記憶した記憶部と、
データ送受信処理を実行するデータ送受信部と、
クライアントからのコンテンツ情報取得要求の受領に基づいて、前記記憶部からメタデータを抽出し、メタデータの構成要素であるプロパティ情報に基づいて、クライアントに送信するコンテンツ情報を生成する制御部とを有し、
前記記憶部は、
コンテンツ対応のメタデータの構成要素としてのプロパティ情報として、サーバの保有するオリジナルコンテンツのデータ態様情報を格納し、
前記制御部は、
クライアントからのコンテンツ情報取得要求の受領に基づいて、サーバの保有するオリジナルコンテンツのデータ態様情報を含むコンテンツ情報を生成し、前記データ送受信部を介して送信する構成を有することを特徴とする情報処理装置。
【請求項２】
前記記憶部は、
コンテンツ対応のメタデータの構成要素としてのプロパティ情報として、該コンテンツが、サーバの保有するオリジナルコンテンツか、あるいは前記オリジナルコンテンツとは異なる態様に変換されたコンテンツかを示す情報を含むデータ態様情報を格納し、
前記制御部は、
クライアントからのコンテンツ情報取得要求の受領に基づいて、サーバの保有するオリジナルコンテンツあるいは前記オリジナルコンテンツとは異なる態様に変換されたコンテンツのデータ態様情報を含むコンテンツ情報を生成し、前記データ送受信部を介して送信する構成を有することを特徴とする請求項１に記載の情報処理装置。
【請求項３】
前記記憶部は、
サーバの保有するオリジナルコンテンツのデータ態様情報として、ファイルフォーマット情報、符号化データ態様としてのコーデック情報、解像度の各情報の少なくともいずれかを、コンテンツ対応のプロパティ情報として格納し、
前記制御部は、
ファイルフォーマット情報、符号化データ態様としてのコーデック情報、解像度の各情報の少なくともいずれかを含むコンテンツ情報を生成し、前記データ送受信部を介して送信する構成を有することを特徴とする請求項１に記載の情報処理装置。
【請求項４】
前記記憶部は、
さらに、サーバからクライアントに提供可能なコンテンツのデータ態様情報をコンテンツ対応のプロパティ情報として格納し、
前記制御部は、
サーバからクライアントに提供可能なコンテンツのデータ態様情報を含むコンテンツ情報を生成し、前記データ送受信部を介して送信する構成を有することを特徴とする請求項１に記載の情報処理装置。
【請求項５】
前記クライアントに提供可能なコンテンツのデータ態様情報は、ファイルフォーマット情報、符号化データ態様としてのコーデック情報、解像度の各情報の少なくともいずれかを含む情報であることを特徴とする請求項４に記載の情報処理装置。
【請求項６】
前記制御部は、
サーバの保有するオリジナルコンテンツのデータ態様情報を含むコンテンツ情報によって構成されるＸＭＬ（eXtensible Markup Language）データをクライアントに対する送信データとして生成する処理を実行する構成であることを特徴とする請求項１に記載の情報処理装置。
【請求項７】
コンテンツ提供サーバに対するコンテンツ送信要求を行うクライアントとしての情報処理装置であり、
コンテンツ提供サーバとのデータ送受信処理を実行するデータ送受信部と、
前記データ送受信部を介して前記サーバから受信するコンテンツ情報に基づいて出力部に表示する表示情報を生成する制御部と、
前記制御部の生成した表示情報を出力表示する表示部とを有し、
前記制御部は、サーバから受信するコンテンツ情報の構成要素としてのプロパティ情報に含まれるサーバの保有するオリジナルコンテンツのデータ態様情報を識別可能な態様とした表示情報を生成する処理を実行する構成であることを特徴とする情報処理装置。
【請求項８】
前記オリジナルコンテンツのデータ態様情報は、サーバの保有するオリジナルコンテンツのファイルフォーマット情報、符号化データ態様としてのコーデック情報、解像度の各情報の少なくともいずれかを含み、
前記制御部は、ファイルフォーマット情報、コーデック情報、解像度の少なくともいずれかについてのオリジナルコンテンツデータ情報を識別可能とした表示情報の生成処理を実行する構成であることを特徴とする請求項７に記載の情報処理装置。
【請求項９】
前記制御部は、
生成する表示情報に、サーバから受信するプロパティ情報に含まれるサーバからクライアントに提供可能なコンテンツのデータ態様情報を含めるとともに、クライアント装置の処理機能情報に基づいて、前記データ態様情報毎のクライアントにおける処理の可否を識別可能とした表示情報の生成処理を実行する構成であることを特徴とする請求項７に記載の情報処理装置。
【請求項１０】
前記クライアントに提供可能なコンテンツのデータ態様情報は、ファイルフォーマット情報、符号化データ態様としてのコーデック情報、解像度の各情報の少なくともいずれかを含み、
前記制御部は、ファイルフォーマット情報、コーデック情報、解像度の少なくともいずれかについてクライアントにおける処理の可否を識別可能とした表示情報の生成処理を実行する構成であることを特徴とする請求項９に記載の情報処理装置。
【請求項１１】
前記制御部は、
サーバから受信するコンテンツ情報によって構成されるＸＭＬ（eXtensible Markup Language）データの解析により、表示情報の生成処理を実行する構成であることを特徴とする請求項７に記載の情報処理装置。
【請求項１２】
コンテンツ提供サーバに対するコンテンツ送信要求を行うクライアントとしての情報処理装置であり、
コンテンツ提供サーバとのデータ送受信処理を実行するデータ送受信部と、
前記データ送受信部を介して前記サーバから受信するコンテンツ情報の構成要素としてのプロパティ情報に含まれるサーバの保有するオリジナルコンテンツのデータ態様情報と、サーバからクライアントに提供可能なコンテンツのデータ態様情報と、クライアント装置の処理機能情報とに基づいて、サーバからの送信データ態様を決定し、決定情報を伴うコンテンツ送信要求をデータ送受信部を介してサーバに対して出力する処理を実行する制御部と、
を有することを特徴とする情報処理装置。
【請求項１３】
前記サーバから受信する前記プロパティ情報は、該プロパティ情報に対応するコンテンツがオリジナルコンテンツか、あるいは前記オリジナルコンテンツとは異なる態様に変換されたコンテンツかを示す情報を含むデータ態様情報を含み、
前記制御部は、
前記データ態様情報と、クライアント装置の処理機能情報とに基づいて、サーバからの送信データ態様を決定し、決定情報を伴うコンテンツ送信要求をデータ送受信部を介してサーバに対して出力する処理を実行する構成を有することを特徴とする請求項１２に記載の情報処理装置。
【請求項１４】
前記制御部は、
サーバの保有するオリジナルコンテンツのデータ態様情報が、クライアント装置の処理可能なデータ態様である場合には、該オリジナルコンテンツのデータ態様をサーバからの送信データ態様として決定し、
サーバの保有するオリジナルコンテンツのデータ態様情報が、クライアント装置の処理可能なデータ態様でない場合には、予め定めた設定情報に従ってクライアント装置の処理可能なデータ態様であり、かつ前記オリジナルコンテンツのデータ態様に近いデータ態様をサーバからの送信データ態様として決定する処理を実行する構成であることを特徴とする請求項１２に記載の情報処理装置。
【請求項１５】
前記オリジナルコンテンツのデータ態様情報は、サーバの保有するオリジナルコンテンツのファイルフォーマット情報、符号化データ態様としてのコーデック情報、解像度の各情報の少なくともいずれかを含み、
前記制御部は、サーバからの送信データ態様としてファイルフォーマット情報、コーデック情報、解像度の少なくともいずれかについて決定する処理を実行する構成であることを特徴とする請求項１２に記載の情報処理装置。
【請求項１６】
コンテンツ情報送信処理を実行する情報処理方法であり、
クライアントからのコンテンツ情報取得要求を受信するコンテンツ情報取得要求受信ステップと、
記憶部からコンテンツ対応のメタデータを構成するプロパティ情報として、サーバの保有するオリジナルコンテンツのデータ態様情報を抽出し、該オリジナルコンテンツのデータ態様情報を含むプロパティ情報に基づいて、クライアントに送信するコンテンツ情報を生成するコンテンツ情報生成ステップと、
生成したコンテンツ情報をデータ送受信部を介してクライアントに対して送信するコンテンツ情報送信ステップと、
を有することを特徴とする情報処理方法。
【請求項１７】
前記コンテンツ情報生成ステップは、
前記プロパティ情報に対応するコンテンツが、サーバの保有するオリジナルコンテンツか、あるいは前記オリジナルコンテンツとは異なる態様に変換されたコンテンツかを示す情報を含むコンテンツ情報を生成するステップであり、
前記コンテンツ情報送信ステップは、
前記プロパティ情報に対応するコンテンツが、サーバの保有するオリジナルコンテンツか、あるいは前記オリジナルコンテンツとは異なる態様に変換されたコンテンツかを示す情報を含むコンテンツ情報を送信するステップであることを特徴とする請求項１６に記載の情報処理方法。
【請求項１８】
前記記憶部は、サーバの保有するオリジナルコンテンツのデータ態様情報として、ファイルフォーマット情報、符号化データ態様としてのコーデック情報、解像度の各情報の少なくともいずれかを、コンテンツ対応のプロパティ情報として格納し、
前記コンテンツ情報生成ステップは、
ファイルフォーマット情報、符号化データ態様としてのコーデック情報、解像度の各情報の少なくともいずれかを含むコンテンツ情報を生成することを特徴とする請求項１６に記載の情報処理方法。
【請求項１９】
前記記憶部は、さらに、サーバからクライアントに提供可能なコンテンツのデータ態様情報をコンテンツ対応のプロパティ情報として格納し、
前記コンテンツ情報生成ステップは、
サーバからクライアントに提供可能なコンテンツのデータ態様情報を含むコンテンツ情報を生成することを特徴とする請求項１６に記載の情報処理方法。
【請求項２０】
前記クライアントに提供可能なコンテンツのデータ態様情報は、ファイルフォーマット情報、符号化データ態様としてのコーデック情報、解像度の各情報の少なくともいずれかを含む情報であることを特徴とする請求項１９に記載の情報処理方法。
【請求項２１】
前記コンテンツ情報生成ステップは、
サーバの保有するオリジナルコンテンツのデータ態様情報を含むコンテンツ情報によって構成されるＸＭＬ（eXtensible Markup Language）データをクライアントに対する送信データとして生成する処理を実行することを特徴とする請求項１６に記載の情報処理方法。
【請求項２２】
コンテンツ情報の表示処理を行う情報処理方法であり、
サーバからコンテンツ情報を受信するステップと、
前記サーバから受信したコンテンツ情報の構成要素としてのプロパティ情報に含まれるサーバの保有するオリジナルコンテンツのデータ態様情報を識別可能な態様とした表示情報を生成する表示情報生成ステップと、
前記表示情報を表示手段に出力するステップと、
を有することを特徴とする情報処理方法。
【請求項２３】
前記オリジナルコンテンツのデータ態様情報は、サーバの保有するオリジナルコンテンツのファイルフォーマット情報、符号化データ態様としてのコーデック情報、解像度の各情報の少なくともいずれかを含み、
前記表示情報生成ステップは、ファイルフォーマット情報、コーデック情報、解像度の少なくともいずれかについてのオリジナルコンテンツデータ情報を識別可能とした表示情報の生成処理を実行することを特徴とする請求項２２に記載の情報処理方法。
【請求項２４】
前記表示情報生成ステップは、
生成する表示情報に、サーバから受信するプロパティ情報に含まれるサーバからクライアントに提供可能なコンテンツのデータ態様情報を含めるとともに、クライアント装置の処理機能情報に基づいて、前記データ態様情報毎のクライアントにおける処理の可否を識別可能とした表示情報の生成処理を実行することを特徴とする請求項２２に記載の情報処理方法。
【請求項２５】
前記クライアントに提供可能なコンテンツのデータ態様情報は、ファイルフォーマット情報、符号化データ態様としてのコーデック情報、解像度の各情報の少なくともいずれかを含み、
前記表示情報生成ステップは、
ファイルフォーマット情報、コーデック情報、解像度の少なくともいずれかについてクライアントにおける処理の可否を識別可能とした表示情報の生成処理を実行することを特徴とする請求項２４に記載の情報処理方法。
【請求項２６】
前記表示情報生成ステップは、
サーバから受信するコンテンツ情報によって構成されるＸＭＬ（eXtensible Markup Language）データの解析により、表示情報の生成処理を実行することを特徴とする請求項２２に記載の情報処理方法。
【請求項２７】
コンテンツ情報に基づく送信コンテンツデータ態様決定処理を行う情報処理方法であり、
サーバからコンテンツ情報を受信するステップと、
前記サーバから受信したコンテンツ情報の構成要素としてのプロパティ情報に含まれるサーバの保有するオリジナルコンテンツのデータ態様情報と、サーバからクライアントに提供可能なコンテンツのデータ態様情報と、クライアント装置の処理機能情報とに基づいて、サーバからの送信データ態様の決定処理を実行する送信データ態様決定ステップと、
前記送信データ態様決定ステップにおいて決定した決定情報を伴うコンテンツ送信要求をデータ送受信部を介してサーバに対して出力する処理を実行するコンテンツ送信要求送信ステップと、
を有することを特徴とする情報処理方法。
【請求項２８】
前記サーバから受信する前記プロパティ情報は、該プロパティ情報に対応するコンテンツがオリジナルコンテンツか、あるいは前記オリジナルコンテンツとは異なる態様に変換されたコンテンツかを示す情報を含むデータ態様情報を含み、
前記送信データ態様決定ステップは、
前記データ態様情報と、クライアント装置の処理機能情報とに基づいて、サーバからの送信データ態様を決定するステップであることを特徴とする請求項２７に記載の情報処理方法。
【請求項２９】
前記送信データ態様決定ステップは、
サーバの保有するオリジナルコンテンツのデータ態様情報が、クライアント装置の処理可能なデータ態様である場合には、該オリジナルコンテンツのデータ態様をサーバからの送信データ態様として決定し、
サーバの保有するオリジナルコンテンツのデータ態様情報が、クライアント装置の処理可能なデータ態様でない場合には、予め定めた設定情報に従ってクライアント装置の処理可能なデータ態様であり、かつ前記オリジナルコンテンツのデータ態様に近いデータ態様をサーバからの送信データ態様として決定する処理を実行することを特徴とする請求項２７に記載の情報処理方法。
【請求項３０】
前記オリジナルコンテンツのデータ態様情報は、サーバの保有するオリジナルコンテンツのファイルフォーマット情報、符号化データ態様としてのコーデック情報、解像度の各情報の少なくともいずれかを含み、
前記送信データ態様決定ステップは、サーバからの送信データ態様としてファイルフォーマット情報、コーデック情報、解像度の少なくともいずれかについて決定する処理を実行することを特徴とする請求項２７に記載の情報処理方法。
【請求項３１】
コンテンツ情報送信処理をコンピュータ上で実行させるコンピュータ・プログラムであり、
クライアントからのコンテンツ情報取得要求を受信するコンテンツ情報取得要求受信ステップと、
記憶部からコンテンツ対応のメタデータを構成するプロパティ情報として、サーバの保有するオリジナルコンテンツのデータ態様情報を抽出し、該オリジナルコンテンツのデータ態様情報を含むプロパティ情報に基づいて、クライアントに送信するコンテンツ情報を生成するコンテンツ情報生成ステップと、
生成したコンテンツ情報をデータ送受信部を介してクライアントに対して送信するコンテンツ情報送信ステップと、
を有することを特徴とするコンピュータ・プログラム。
【請求項３２】
前記コンテンツ情報生成ステップは、
前記プロパティ情報に対応するコンテンツが、サーバの保有するオリジナルコンテンツか、あるいは前記オリジナルコンテンツとは異なる態様に変換されたコンテンツかを示す情報を含むコンテンツ情報を生成するステップであり、
前記コンテンツ情報送信ステップは、
前記プロパティ情報に対応するコンテンツが、サーバの保有するオリジナルコンテンツか、あるいは前記オリジナルコンテンツとは異なる態様に変換されたコンテンツかを示す情報を含むコンテンツ情報を送信するステップであることを特徴とする請求項３１に記載のコンピュータ・プログラム。
【請求項３３】
コンテンツ情報の表示処理をコンピュータ上で実行させるコンピュータ・プログラムであり、
サーバからコンテンツ情報を受信するステップと、
前記サーバから受信したコンテンツ情報の構成要素としてのプロパティ情報に含まれるサーバの保有するオリジナルコンテンツのデータ態様情報を識別可能な態様とした表示情報を生成する表示情報生成ステップと、
前記表示情報を表示手段に出力するステップと、
を有することを特徴とするコンピュータ・プログラム。
【請求項３４】
コンテンツ情報に基づく送信コンテンツデータ態様決定処理をコンピュータ上で実行させるコンピュータ・プログラムであり、
サーバからコンテンツ情報を受信するステップと、
前記サーバから受信したコンテンツ情報の構成要素としてのプロパティ情報に含まれるサーバの保有するオリジナルコンテンツのデータ態様情報と、サーバからクライアントに提供可能なコンテンツのデータ態様情報と、クライアント装置の処理機能情報とに基づいて、サーバからの送信データ態様の決定処理を実行する送信データ態様決定ステップと、
前記送信データ態様決定ステップにおいて決定した決定情報を伴うコンテンツ送信要求をデータ送受信部を介してサーバに対して出力する処理を実行するコンテンツ送信要求送信ステップと、
を有することを特徴とするコンピュータ・プログラム。
【請求項３５】
前記サーバから受信する前記プロパティ情報は、該プロパティ情報に対応するコンテンツがオリジナルコンテンツか、あるいは前記オリジナルコンテンツとは異なる態様に変換されたコンテンツかを示す情報を含むデータ態様情報を含み、
前記送信データ態様決定ステップは、
前記データ態様情報と、クライアント装置の処理機能情報とに基づいて、サーバからの送信データ態様を決定するステップであることを特徴とする請求項３４に記載のコンピュータ・プログラム。
【手続補正２】
【補正対象書類名】明細書
【補正対象項目名】００１７
【補正方法】変更
【補正の内容】
【００１７】
【課題を解決するための手段】
本発明の第１の側面は、
クライアントからの要求に応じてコンテンツ送信処理を実行するコンテンツ提供サーバとしての情報処理装置であり、
コンテンツおよびコンテンツ属性情報としてのメタデータを記憶した記憶部と、
データ送受信処理を実行するデータ送受信部と、
クライアントからのコンテンツ情報取得要求の受領に基づいて、前記記憶部からメタデータを抽出し、メタデータの構成要素であるプロパティ情報に基づいて、クライアントに送信するコンテンツ情報を生成する制御部とを有し、
前記記憶部は、
コンテンツ対応のメタデータの構成要素としてのプロパティ情報として、サーバの保有するオリジナルコンテンツのデータ態様情報を格納し、
前記制御部は、
クライアントからのコンテンツ情報取得要求の受領に基づいて、サーバの保有するオリジナルコンテンツのデータ態様情報を含むコンテンツ情報を生成し、前記データ送受信部を介して送信する構成を有することを特徴とする情報処理装置にある。
さらに、本発明の情報処理装置の一実施態様において、前記記憶部は、コンテンツ対応のメタデータの構成要素としてのプロパティ情報として、該コンテンツが、サーバの保有するオリジナルコンテンツか、あるいは前記オリジナルコンテンツとは異なる態様に変換されたコンテンツかを示す情報を含むデータ態様情報を格納し、前記制御部は、クライアントからのコンテンツ情報取得要求の受領に基づいて、サーバの保有するオリジナルコンテンツあるいは前記オリジナルコンテンツとは異なる態様に変換されたコンテンツのデータ態様情報を含むコンテンツ情報を生成し、前記データ送受信部を介して送信する構成を有することを特徴とする。
【手続補正３】
【補正対象書類名】明細書
【補正対象項目名】００２１
【補正方法】変更
【補正の内容】
【００２１】
さらに、本発明の情報処理装置の一実施態様において、前記制御部は、サーバの保有するオリジナルコンテンツのデータ態様情報を含むコンテンツ情報によって構成されるＸＭＬ（eXtensible Markup Language）データをクライアントに対する送信データとして生成する処理を実行する構成であることを特徴とする。
【手続補正４】
【補正対象書類名】明細書
【補正対象項目名】００２６
【補正方法】変更
【補正の内容】
【００２６】
さらに、本発明の情報処理装置の一実施態様において、前記制御部は、サーバから受信するコンテンツ情報によって構成されるＸＭＬ（eXtensible Markup Language）データの解析により、表示情報の生成処理を実行する構成であることを特徴とする。
【手続補正５】
【補正対象書類名】明細書
【補正対象項目名】００２７
【補正方法】変更
【補正の内容】
【００２７】
さらに、本発明の第３の側面は、
コンテンツ提供サーバに対するコンテンツ送信要求を行うクライアントとしての情報処理装置であり、
コンテンツ提供サーバとのデータ送受信処理を実行するデータ送受信部と、
前記データ送受信部を介して前記サーバから受信するコンテンツ情報の構成要素としてのプロパティ情報に含まれるサーバの保有するオリジナルコンテンツのデータ態様情報と、サーバからクライアントに提供可能なコンテンツのデータ態様情報と、クライアント装置の処理機能情報とに基づいて、サーバからの送信データ態様を決定し、決定情報を伴うコンテンツ送信要求をデータ送受信部を介してサーバに対して出力する処理を実行する制御部と、
を有することを特徴とする情報処理装置にある。
さらに、本発明の情報処理装置の一実施態様において、前記サーバから受信する前記プロパティ情報は、該プロパティ情報に対応するコンテンツがオリジナルコンテンツか、あるいは前記オリジナルコンテンツとは異なる態様に変換されたコンテンツかを示す情報を含むデータ態様情報を含み、前記制御部は、前記データ態様情報と、クライアント装置の処理機能情報とに基づいて、サーバからの送信データ態様を決定し、決定情報を伴うコンテンツ送信要求をデータ送受信部を介してサーバに対して出力する処理を実行する構成を有することを特徴とする。
【手続補正６】
【補正対象書類名】明細書
【補正対象項目名】００３０
【補正方法】変更
【補正の内容】
【００３０】
さらに、本発明の第４の側面は、
コンテンツ情報送信処理を実行する情報処理方法であり、
クライアントからのコンテンツ情報取得要求を受信するコンテンツ情報取得要求受信ステップと、
記憶部からコンテンツ対応のメタデータを構成するプロパティ情報として、サーバの保有するオリジナルコンテンツのデータ態様情報を抽出し、該オリジナルコンテンツのデータ態様情報を含むプロパティ情報に基づいて、クライアントに送信するコンテンツ情報を生成するコンテンツ情報生成ステップと、
生成したコンテンツ情報をデータ送受信部を介してクライアントに対して送信するコンテンツ情報送信ステップと、
を有することを特徴とする情報処理方法にある。
さらに、本発明の情報処理方法の一実施態様において、前記コンテンツ情報生成ステップは、前記プロパティ情報に対応するコンテンツが、サーバの保有するオリジナルコンテンツか、あるいは前記オリジナルコンテンツとは異なる態様に変換されたコンテンツかを示す情報を含むコンテンツ情報を生成するステップであり、前記コンテンツ情報送信ステップは、前記プロパティ情報に対応するコンテンツが、サーバの保有するオリジナルコンテンツか、あるいは前記オリジナルコンテンツとは異なる態様に変換されたコンテンツかを示す情報を含むコンテンツ情報を送信するステップであることを特徴とする。
【手続補正７】
【補正対象書類名】明細書
【補正対象項目名】００３４
【補正方法】変更
【補正の内容】
【００３４】
さらに、本発明の情報処理方法の一実施態様において、前記コンテンツ情報生成ステップは、サーバの保有するオリジナルコンテンツのデータ態様情報を含むコンテンツ情報によって構成されるＸＭＬ（eXtensible Markup Language）データをクライアントに対する送信データとして生成する処理を実行することを特徴とする。
【手続補正８】
【補正対象書類名】明細書
【補正対象項目名】００４０
【補正方法】変更
【補正の内容】
【００４０】
さらに、本発明の第６の側面は、
コンテンツ情報に基づく送信コンテンツデータ態様決定処理を行う情報処理方法であり、
サーバからコンテンツ情報を受信するステップと、
前記サーバから受信したコンテンツ情報の構成要素としてのプロパティ情報に含まれるサーバの保有するオリジナルコンテンツのデータ態様情報と、サーバからクライアントに提供可能なコンテンツのデータ態様情報と、クライアント装置の処理機能情報とに基づいて、サーバからの送信データ態様の決定処理を実行する送信データ態様決定ステップと、
前記送信データ態様決定ステップにおいて決定した決定情報を伴うコンテンツ送信要求をデータ送受信部を介してサーバに対して出力する処理を実行するコンテンツ送信要求送信ステップと、
を有することを特徴とする情報処理方法にある。
さらに、本発明の情報処理方法の一実施態様において、前記サーバから受信する前記プロパティ情報は、該プロパティ情報に対応するコンテンツがオリジナルコンテンツか、あるいは前記オリジナルコンテンツとは異なる態様に変換されたコンテンツかを示す情報を含むデータ態様情報を含み、前記送信データ態様決定ステップは、前記データ態様情報と、クライアント装置の処理機能情報とに基づいて、サーバからの送信データ態様を決定するステップであることを特徴とする。
【手続補正９】
【補正対象書類名】明細書
【補正対象項目名】００３９
【補正方法】変更
【補正の内容】
【００３９】
さらに、本発明の情報処理方法の一実施態様において、前記表示情報生成ステップは、サーバから受信するコンテンツ情報によって構成されるＸＭＬ（eXtensible Markup Language）データの解析により、表示情報の生成処理を実行することを特徴とする。
【手続補正１０】
【補正対象書類名】明細書
【補正対象項目名】００４３
【補正方法】変更
【補正の内容】
【００４３】
さらに、本発明の第７の側面は、
コンテンツ情報送信処理をコンピュータ上で実行させるコンピュータ・プログラムであり、
クライアントからのコンテンツ情報取得要求を受信するコンテンツ情報取得要求受信ステップと、
記憶部からコンテンツ対応のメタデータを構成するプロパティ情報として、サーバの保有するオリジナルコンテンツのデータ態様情報を抽出し、該オリジナルコンテンツのデータ態様情報を含むプロパティ情報に基づいて、クライアントに送信するコンテンツ情報を生成するコンテンツ情報生成ステップと、
生成したコンテンツ情報をデータ送受信部を介してクライアントに対して送信するコンテンツ情報送信ステップと、
を有することを特徴とするコンピュータ・プログラムにある。
さらに、本発明のコンピュータ・プログラムの一実施態様において、前記コンテンツ情報生成ステップは、前記プロパティ情報に対応するコンテンツが、サーバの保有するオリジナルコンテンツか、あるいは前記オリジナルコンテンツとは異なる態様に変換されたコンテンツかを示す情報を含むコンテンツ情報を生成するステップであり、前記コンテンツ情報送信ステップは、前記プロパティ情報に対応するコンテンツが、サーバの保有するオリジナルコンテンツか、あるいは前記オリジナルコンテンツとは異なる態様に変換されたコンテンツかを示す情報を含むコンテンツ情報を送信するステップであることを特徴とする。
【手続補正１１】
【補正対象書類名】明細書
【補正対象項目名】００４４
【補正方法】変更
【補正の内容】
【００４４】
さらに、本発明の第８の側面は、
コンテンツ情報の表示処理をコンピュータ上で実行させるコンピュータ・プログラムであり、
サーバからコンテンツ情報を受信するステップと、
前記サーバから受信したコンテンツ情報の構成要素としてのプロパティ情報に含まれるサーバの保有するオリジナルコンテンツのデータ態様情報を識別可能な態様とした表示情報を生成する表示情報生成ステップと、
前記表示情報を表示手段に出力するステップと、
を有することを特徴とするコンピュータ・プログラムにある。
【手続補正１２】
【補正対象書類名】明細書
【補正対象項目名】００４５
【補正方法】変更
【補正の内容】
【００４５】
さらに、本発明の第９の側面は、
コンテンツ情報に基づく送信コンテンツデータ態様決定処理をコンピュータ上で実行させるコンピュータ・プログラムであり、
サーバからコンテンツ情報を受信するステップと、
前記サーバから受信したコンテンツ情報の構成要素としてのプロパティ情報に含まれるサーバの保有するオリジナルコンテンツのデータ態様情報と、サーバからクライアントに提供可能なコンテンツのデータ態様情報と、クライアント装置の処理機能情報とに基づいて、サーバからの送信データ態様の決定処理を実行する送信データ態様決定ステップと、
前記送信データ態様決定ステップにおいて決定した決定情報を伴うコンテンツ送信要求をデータ送受信部を介してサーバに対して出力する処理を実行するコンテンツ送信要求送信ステップと、
を有することを特徴とするコンピュータ・プログラムにある。
さらに、本発明のコンピュータ・プログラムの一実施態様において、前記サーバから受信する前記プロパティ情報は、該プロパティ情報に対応するコンテンツがオリジナルコンテンツか、あるいは前記オリジナルコンテンツとは異なる態様に変換されたコンテンツかを示す情報を含むデータ態様情報を含み、前記送信データ態様決定ステップは、前記データ態様情報と、クライアント装置の処理機能情報とに基づいて、サーバからの送信データ態様を決定するステップであることを特徴とする。
【手続補正１３】
【補正対象書類名】明細書
【補正対象項目名】００６６
【補正方法】変更
【補正の内容】
【００６６】
［クライアントによるプロパティ情報取得に基づく処理］
例えばコンテンツを再生しようとするクライアントは、サーバに対してコンテンツ要求を行い、要求コンテンツをサーバから受信してコンテンツの再生を行うことができる。一般的なコンテンツ再生の手順について図３を参照して説明する。まず、ステップＳ１１において、クライアントは、サーバの保有するコンテンツ情報の取得要求を行う。ステップＳ１２で、サーバは、クライアントの要求に従ってコンテンツ対応のメタデータに基づいて、タイトル、アーティスト名などのコンテンツ情報をＸＭＬ（eXtensible Markup Language）データにより生成してクライアントに送信する。